(57)【要約】      （修正有）【課題】体育館、講堂、教室などの室内において相撲競技を行う際に、容易に設置することができ、かつ初心者や児童・生徒が安全に相撲競技ができる組み立て式土俵マットを提供する。【解決手段】ベースとなる分割式の相撲土俵マットシート１および土俵の円周内部に対し、外側の周辺部分を４０ｃｍ程度の高さのある防御ソフトマット２で囲むような形状を有する組み立て式土俵マットユニットであって、土俵の外部周辺を取り囲むように防御ソフトマットを取り付けることにより土俵と土俵外の周辺部分に高低差を生じさせる。土俵場を形成するマットユニットは小分割構成とし、マット間の対応する接合部分の色を同色にする。【選択図】図１
0003167492.tif 000002
【実用新案登録請求の範囲】
【請求項１】
土俵マットの土俵の俵の外周に沿って高さのある防御ソフトマットを取り囲むように設置することで、土俵と土俵の外に高低差を設けたことを特徴とする組み立て式土俵マット。
【請求項２】
分割した２つの土俵マットの接合において、取り付けるマットと対応する取り付けられるマットの上面シートと下面シート地を互い違いに長めにした取り付けしろを接合部分とし、この接合部分を用いて、接合する相手方のマットの表面上にマジックテープで接合し組み立てることで土俵場を形成し、接合部の隙間を無くすことにより競技時の足の指詰めによる怪我防止と未使用時の収容性を良くした請求項１記載の組み立て式土俵マット。
【請求項３】
土俵マットの土俵と土俵外の円周部分に段差を設けるために取り付ける防御ソフトマットの接合において、接合する箇所同士のマジックテープの色を同色にすることにより、初心者でも接合関係を分かりやすくしたことを特徴とする請求項１〜２記載の組み立て式土俵マット。
【考案の詳細な説明】
【技術分野】
【０００１】  本考案は、体育館、講堂、教室などの室内において相撲の授業や競技を行う際に、容易に平面床上に土俵を設置することができ、かつ初心者や児童・生徒が、競技中倒れたときに直接床に頭などを強打しないような段差を周囲に設けることにより、安全に相撲競技ができることを目的とした組み立て式土俵マットに関する。
【背景技術】
【０００２】  近年、児童・生徒の体力低下と共に学校現場では相撲の経験が乏しい児童・生徒が増えており、新指導要領に基づき安全に相撲の授業ができる環境を整備する必要がある。従来の室内競技用向けの土俵マットの表面は平面であるため、特に土俵際の攻防において両者が重なった状態で倒れる際に、身体に強い圧迫を受けたり、後頭部を打つこともあった。加えて、土俵際で倒れる際に手をつくこと（かばい手）などによって、ケガをする可能性があった。【０００３】  これまで実用化されている従来の土俵マットは、体操用マットの素材に土俵円を書いた平面的なものが一般的であるが、軟質合成樹脂製の土俵片を面ファスナーを用いてシート上に取り付け、競技中に土俵片に足を引っ掛けても土俵片がシートから離脱することがないように工夫された児童用の簡易土俵マットが考案されている（特許文献１）。また、初級者・中級者レベルの相撲競技者に対応できる室内土俵として、相撲の土俵の俵・徳俵・蛇の目の断面を形成する合成ゴムで、同じ形をした４つのピースを組み合わせて土俵の円を形成し、それぞれのピースを凹凸状のジョイント部で繋げて、さらにその上からマジックテープで固定して一体化する室内用ジョイント式土俵が考案されているが（特許文献２）、土俵の俵のみであるため、事前に室内床にマットなどを敷くなど措置が必要であった。【０００４】  土俵マットとしては、土俵の俵の代わりとなる半硬質ゴムを合板の端部に取り付けた複数の小マットを組み合わせてマジックテープとずれ止め金具で、一体となるように床の上に組み立てる方式の土俵ユニットなどが考案されているが（特許文献３）、小片マットで構成されるために、短時間での設置が困難であると共に、土俵マットが平面であるため、土俵外におよぶ攻防における安全面への配慮という点において問題があった。また、小マット同士の接合部の隙間に足の指が入ったり、段差により足の指を挫くなどの怪我を起す恐れがあった。
【特許文献１】登録実用新案第３０１９４３９号
【特許文献２】登録実用新案第３１２８１１６号
【特許文献３】登録実用新案第３１２７７７３号
【考案の開示】
【考案が解決しようとする課題】
【０００５】  本考案の目的は、体育館、講堂、教室などの室内環境において相撲競技を行うための土俵場を形成するために、体操マットと同様な材質を持つ分割組み立て式の土俵マットを平面床板に設置することで、場所を選ばずに短時間で的確に設置・収納ができ、かつ初心者や児童・生徒でも、安全に相撲ができる組み立て式土俵マットを提供することである。
【課題を解決するための手段】  以下、本考案の実施方法について図１〜図４に基づいて説明する。【０００６】  本考案は、図１に示すように、ベースとなる分割組み立て式のマットを一体化した相撲土俵マットシート１および土俵の円周内部に対し、外側の周辺部分を４０ｃｍ程度の高さのある防御ソフトマット２で囲むような形状を有する組み立て式土俵マットユニットであって、土俵マット上に防御ソフトマットを取り付けることにより土俵と土俵外の周辺部分に高低差ができる。これにより、初心者や児童・生徒が相撲競技時に土俵外に折り重なって倒れ込んでも、この防御ソフトマットが胴体部を支えることで直接床やマットに頭部や手をつく事がないため、安全に相撲競技や練習ができる土俵を形成する。【０００７】  土俵は、図１のようにマットの表面シートに固定化した５ｃｍ程度の軟質合成樹脂製の土俵片３で段差をつけることにより、初心者や児童・生徒でも、土俵際の攻防を体験する環境を提供することができる。【０００８】  設置の際、図２示すように、土俵を形成するマットユニットは長方形の体操用マット素材を２枚（２分割時）ないし４枚（４分割時）を、ジョイント部分でつなげて正方形とし、高さのある防御ソフトマットは、マジックテープなどで所定の位置に固定する。その際、土俵マットと防御ソフトマットのマジックテープの対応する接合部分の色を同色にすることで、接合部分を分かりやすくしたことにより、短時間で組み立て設置ができる。
【考案の効果】
【０００９】  本考案の土俵マットは、土俵の俵の円周内部に対し、土俵の俵の外側の周辺部分が平面である従来の土俵マットとは異なり、土俵の外側の周辺部分を４０ｃｍ程度の高さのある防御ソフトマットで囲むような形状とし、土俵マット上に高低差をつけるように改良した。このために、土俵際の攻防において両者が重なった状態で倒れることや、土俵際で倒れる際に直接、床やマットに手をつくこと（かばい手）がないため、起こり得るケガを未然に防ぐことができる。【００１０】  土俵の俵部分には、マット表面シートと一体化した５ｃｍ程度の高さをつけており、相手に押されたり、寄られたりしても土俵際で土俵内に残ることが容易となり、相撲の醍醐味である土俵際の攻防を体験できる。これに加えて、本考案の土俵マットは、土俵の外周部分に防御ソフトマットを設けることにより安全性を高めた構造としている。【００１１】  従来の土俵マットでは、小片の体操用マットの素材を、つなげて正方形とし、土俵円を書いた平面的なものが多く、小片マットの配置と設置に時間がかかり、同時に安全性を兼ね備えたものはなかった。これに対し、本考案の土俵マットでは、２分割ないし４分割の小分割とし、対応する接合部分の色を同色にすることで組み合わせを容易にし、設置しやすくすると共に、防御ソフトマットもマジックテープなどで所定の位置に固定する形式とし、設置の簡易性と安全性を同時に実現している。
【考案を実施するための最良の形態】
【００１２】  本考案の土俵マットの構成要素である土俵の円周部分材質には、特に制限はなく、公知の材料（たとえば体操用マットの素材）を使用することができる。しかし、土俵の外側の周辺部分には衝撃吸収し易い硬質発砲ウレタンなどの材料を用いることで、使用者の安全性と設置時の床面保護の効果がある。【００１３】  土俵の円周部分となる４０ｃｍ程度の高さのある防御ソフトマットは、マジックテープなどで所定の位置に固定する形式とするが、使用時に競技者の足などに触れて障害になりにくいように、土俵周辺に固定する高さのある防御ソフトマットは、内側の部分が斜めにカットされていることが望ましい。【００１４】  設置する平面床面に接する土俵マットの下面シート部分には床との摩擦により滑りにくい粘着ゴム系などのノンスリップ加工が施されたシート素材を用いることで（図３−１ｃ）、組み立て後の土俵マットの自重により競技中に滑ることがない。
【産業上の利用可能性】
【００１５】  本考案の土俵マットを使用することによって、体育館や講堂など、普段は土俵として利用されていない建物の床面上に畳を敷くことにより、簡易に競技場の設置ができる。
従来の土俵マットでは、平面なマット上の土俵の円周のみに、俵状の高さをつけることが多かったが、本考案では、土俵の円周内部に対し、外側の周辺部分を４０ｃｍ程度の高さのある防御ソフトマットで囲むような形状とし、土俵マット上に高低差をつけるように改良した。このために、土俵際の攻防において両者が重なった状態で倒れることや、土俵際で倒れる際に手をつくこと（かばい手）などによって、起こり得るケガを未然に防ぐことができる。また、一般の土俵は４ｍ５５ｃｍ程度の大きさを有するが、室内競技用で初心者や児童・生徒の利用を考慮し、土俵の円周部分は３ｍ程度のコンパクトなものが、室内の収容量や複数箇所に設置する場合を考慮すると望ましいサイズである。
【図面の簡単な説明】
【００１６】
【図１】  体育館等の平板床面に対して組み立て式土俵マットの設置状態を示す上面図と側面図である。
【図２】  組み立て式土俵マットの収納状態から土俵を組み立てる状態を示す図である。
【図３】  組み立て式土俵マットと周囲の防御ソフトマットの連結方法を示す図である。
【図４】  図２の組み立て式土俵マットの収納状態から分割状態のマットを結合するジョイント部の取り付け方法を示す図である。
【符号の説明】  １．土俵マットシート
２．防御ソフトマット
３．土俵片
【図１】
0003167492.tif 000003
【図２】
0003167492.tif 000004
【図３】
0003167492.tif 000005
【図４】
0003167492.tif 000006